(57)【特許請求の範囲】
【請求項１】
セルの送信端と受信端との間にバーチャルパスを含み、このバーチャルパス上に設定されたバーチャルチャネルを介して前記送信端と前記受信端との間にセルの転送を行う手段を備え、そのバーチャルチャネルが複数の上位コネクションにより共用可能に設定されたＡＴＭ通信網において、
前記転送を行う手段は、前記バーチャルパスに上位コネクションの収容が可能か否かの判断を行って収容可能であれば、前記バーチャルパスに設定される上位コネクション数にしたがって当該バーチャルパスに与えられた帯域の一部を当該上位コネクションに可変に割当てる手段を含む
ことを特徴とするＡＴＭ通信網。
【請求項２】
前記バーチャルパスに設定される上位コネクション数にしたがって前記割当てる手段により割当てられる帯域を推定する手段と、この推定する手段の推定結果にしたがってセル転送の受付可否判定を行う手段とを含む請求項１記載のＡＴＭ通信網。
【請求項３】
前記バーチャルパスに設定される上位コネクション数の上限値を予め保持しておき、この値に従ってセル転送の受付可否判定を行う手段を含む請求項１記載のＡＴＭ通信網。
【請求項４】
前記バーチャルパス対応に送出待ちキューを備えた請求項１ないし３のいずれか記載のＡＴＭ通信網。
【請求項５】
前記上位コネクションは、ＡＡＬ２コネクションである請求項１ないし３のいずれか記載のＡＴＭ通信網。
【請求項６】
前記バーチャルパスの帯域には、上限値が設定された請求項１ないし３のいずれか記載のＡＴＭ通信網。
【請求項７】
前記バーチャルパスを含む伝送パスの帯域には、上限値が設定された請求項１ないし３のいずれか記載のＡＴＭ通信網。
【請求項８】
前記バーチャルチャネルは、ＵＢＲバーチャルチャネルであることを特徴とする請求項１ないし３のいずれか記載のＡＴＭ通信網。
【請求項９】
前記受付可否判定手段は、前記受付要求上位コネクションが収容されるバーチャルパス各々について受付可否判定を行うことを特徴とする請求項２または３に記載のＡＴＭ通信網。
【請求項１０】
前記受付可否判定手段は、バーチャルチャネルハンドラあるいは上位コネクションの交換ノードに具備されることを特徴とする請求項２または３に記載のＡＴＭ通信網。
【発明の詳細な説明】
【０００１】
【発明の属する技術分野】
本発明は、ＡＴＭ（Ａｓｙｎｃｈｒｏｎｏｕｓ  Ｔｒａｎｓｆｅｒ  Ｍｏｄｅ：非同期転送モード）  に利用する。本発明は、低速音声等のＡＡＬ２（ＡＴＭ  Ａｄａｐｔａｔｉｏｎ  Ｌａｙｅｒ  ｔｙｐｅ  ２）  をはじめとする複数上位コネクションが単一バーチャルチャネル（以下、ＶＣと記す）を共用するトラヒックに対し、通信品質を確保するためのＡＡＬ２帯域管理技術に関する。
【０００２】
【従来の技術】
ＡＴＭ（非同期転送モード）は、主に高速で多様なトラヒックを統一的に運ぶ通信方式として開発されてきた。近年、ＡＴＭを使用して低速の音声等のトラヒックを運ぶニーズが生じている。これは、移動体を中心とする低速音声トラヒックの増加、符号化技術の進展に伴うプライベート網上の音声圧縮等を背景としている。
【０００３】
低速音声を既存の方法でＡＴＭ転送すると、セル化、デセル化遅延が大きくなり過ぎて実用的ではない。そこで、ＡＡＬ２と呼ばれる新しいＡＴＭアダプテーションレイヤが検討されるに至った。ＡＡＬ２では、一つのＶＣコネクションを複数のＡＡＬ２コネクションが共用する。一つのＡＡＬ２コネクションには、通常、一つの音声チャネルが収容される。すなわち、各音声チャネルの音声信号バーストに適当なヘッダを付与し、可変長の情報ブロックであるＣＰＳパケット化し、複数のＣＰＳパケットを一つのセルに収容する。例えばセル化は、移動体通信のベースステーション（ＢＳ）で行われる。ＢＳは、複数の音声チャネルを収容している。
【０００４】
セルは、必要に応じて網内のＡＡＬ２交換ノードでＣＰＳパケットに分解され、組み合わせを替えて、セルに再び収容される。受信端では、セルをＣＰＳパケットに分解し、各音声チャネルに、音声バーストとして送り出す。ＡＡＬ２については、例えば文献、長田和彦、藤谷宏、“ＡＡＬ２による低ビットレート音声通信技術，”ＮＴＴＲ＆Ｄ，４６，１１，ｐｐ．１１８１−１１８８（１９９７）に詳しい。
【０００５】
さて、ＡＴＭでは通信品質を保証するために受付制御を行う。これは、限られた帯域の中に、過剰なトラヒック（セル流）を流入させないことを目的とする。ＡＡＬ２では、低速音声等のＡＡＬ２コネクションの増減に応じてトラヒックが増減する。これはＡＴＭコネクションが一定であっても増減する。したがって、ＡＡＬ２コネクションの受付制御が必要と考えられる。
【０００６】
収容判定は、ＡＡＬ２コネクションのトラヒック特性（ピーク、平均等）を基に行う。これらは、ＡＴＭコネクションの受付判定と同様と考えられる。通常、ＡＡＬ２の受付制御は、ＶＣに対し、一定の帯域を付与し、当該ＶＣに収容されるＡＡＬ２コネクションが同帯域に収容可能か否かで判定する。収容されたＶＣ内のセルは、上記一定帯域にて、ＶＣ端点（セル送信端）より送出される。
【０００７】
従来のＡＡＬ２エンドシステムを図６に示す。また、ネットワーク構成例を図７に示す。従来のＡＡＬ２エンドシステムは、図６に示すように、音声源毎に備えられた符号化器２１〜２３によりＣＰＳパケットを生成し、これをセル化器２７によりセル化する。送出待ちキュー９８はＶＣ対応に備えられ、セル送出スケジューラ９９は、ＶＣ帯域に合わせた速度で送出待ちキュー９８からセル取り出しを行う。このように、従来のＡＡＬ２エンドシステムは、セル化器２７毎に送出待ちキュー９８があり、ＶＰ帯域でなく、ＶＣ帯域に応じてセル送出される。
【０００８】
図７に示すように、ＡＡＬ２エンドシステム３５からＡＡＬ２エンドシステム３７に送出されたセルはＶＰ４２、ＶＰハンドラ４１、ＶＣハンドラ３９、ＶＰ４３、ＡＡＬ２交換ノード３８、ＶＰ４４、ＶＣハンドラ４０、ＶＰ４５、ＡＡＬ２エンドシステム３７を介して転送される。この間は、一定帯域を割当てられたＶＣを利用してセル転送が行われる。
【０００９】
【発明が解決しようとする課題】
上記従来技術によれば、一定帯域を割当てられたＶＣを利用してセルの転送が行われる。しかし、一つのＶＣには、最大２５６のＡＡＬ２コネクションしか収容できない。したがって、２５６以上のＡＡＬ２コネクションを収容する場合には、さらに別のＶＣを用意しなければならない。また、統計的多重効果がＶＣ内に限定される。このため、トラヒックの収容効率があまり高くならない。以上の説明は、ＶＰを伝送パスに読み替えても同様に説明することができる。
【００１０】
本発明は、このような背景に行われたものであって、所定ＶＰ帯域当たりの転送可能なセル数を増大させることができるＡＴＭ通信網を提供することを目的とする。本発明は、所定伝送パス帯域当たりの転送可能なセル数を増大させることができるＡＴＭ通信網を提供することを目的とする。
【００１１】
【課題を解決するための手段】
本発明は、ＶＣに一定の帯域を付与するのではなく、ＶＣを収容するＶＰ（あるいは伝送パス、以下ＶＰの場合を説明）に一定の帯域を付与し、そのＶＰ内にＡＡＬ２コネクションが収容できるか否かを判定する。そのために、ＶＣハンドラに、ＡＡＬ２コネクションの受付制御機能を具備する。また、当該ＶＰに属するセルに対し、上記一定帯域にてＶＰ端点（セル送信端）がセル送出を行う。
【００１２】
すなわち、本発明は、ＡＴＭ通信網であって、セルの送信端と受信端との間にＶＰを含み、このＶＰ上に設定されたＶＣを介して前記送信端と前記受信端との間にセルの転送を行う手段を備え、そのＶＣが複数の上位コネクションにより共用可能に設定されたＡＴＭ通信網である。
【００１３】
ここで、本発明の特徴とするところは、前記転送を行う手段は、前記ＶＰに設定される上位コネクション数にしたがって当該ＶＰの帯域の一部を当該上位コネクションに可変に割当てる手段を含むところにある。
【００１４】
このように、ＶＰの帯域の範囲内でこのＶＰの帯域の一部を上位コネクションに可変に割当てることにより、必要最小限のＶＰ帯域を用いてセルを転送することができる。したがって、従来例と比較して少ないＶＰ帯域により多くのセルを効率良く転送することができる。
【００１５】
前記ＶＰに設定される上位コネクション数にしたがって前記割当てる手段により割当てられる帯域を推定する手段と、この推定する手段の推定結果にしたがってセル転送の受付可否判定を行う手段とを含むことが望ましい。
【００１６】
このように、ＶＰの収容能力を推定することにより、セル転送の受付可否判定を行い、転送途中におけるセル廃棄をなくすることができる。
【００１７】
本発明を実現するためには、前記ＶＰ対応に送出待ちキューを備えることが望ましい。また、前記上位コネクションは、ＡＡＬ２コネクションであることができる。
【００１８】
前記ＶＰの帯域には上限値を設定することもできる。あるいは、前記ＶＰの帯域には上限値を設定せず、このＶＰを含む伝送パスの帯域に上限値を設定してもよい。これにより、伝送パスの帯域を他の用途にも提供し、帯域の有効利用を図ることができる。
【００１９】
【発明の実施の形態】
発明の実施の形態を図１ないし図３を参照して説明する。図１は本発明実施例のＡＡＬ２エンドシステムの要部ブロック構成図である。図２は本発明実施例のＡＡＬ２交換ノードの要部ブロック構成図である。図３は本発明実施例のＶＣハンドラの要部ブロック構成図である。
【００２０】
本発明はＡＴＭ通信網であって、図７に示すように、セルの送信端であるＡＡＬ２エンドシステム３５と受信端であるＡＡＬ２エンドシステム３７との間にＶＰ４２、４３、４４、４５を含み、このＶＰ４２、４３、４４、４５上に設定されたＶＣを介してＡＡＬ２エンドシステム３５とＡＡＬ２エンドシステム３７との間にセルの転送を行う手段であるＶＰハンドラ４１、ＶＣハンドラ３９、４０、ＡＡＬ２交換ノード３８を備え、そのＶＣが複数の上位コネクションであるＡＡＬ２コネクションにより共用可能に設定されたＡＴＭ通信網である。
【００２１】
ここで、本発明の特徴とするところは、図１に示すＡＡＬ２エンドシステム３５、３７、図３に示すＶＣハンドラ３９、４０、図２に示すＡＡＬ２交換ノード３８は、ＶＰ４２、４３、４４、４５に設定されるＡＡＬ２コネクション数にしたがって当該ＶＰ４２、４３、４４、４５の帯域の一部を当該ＡＡＬ２コネクションに可変に割当てる手段であるセル送出スケジューラ３０、７３、７４、８８、８９をそれぞれを含むところにある。
【００２２】
図２に示すＡＡＬ２交換ノード３８、図３に示すＶＣハンドラ３９、４０、４７は、ＶＰ４２、４３、４４、４５に設定されるＡＡＬ２コネクション数にしたがってセル送出スケジューラ３０、７３、７４、８８、８９により割当てられる帯域を推定し、この推定結果にしたがってセル転送の受付可否判定を行う手段である受付判定装置７５、７６、８４、８５をそれぞれ含む。
【００２３】
また、図１に示すＡＡＬ２エンドシステム３５および３７、図２に示すＡＡＬ２交換ノード３８、図３に示すＶＣハンドラ３９、４０、４７は、ＶＰ対応に送出待ちキュー２９、７１、７２、８６、８７を備える。
【００２４】
本発明実施例では、ＶＰ４２、４３、４４、４５の帯域には上限値が設定される。他の例として、ＶＰを含む伝送パスの帯域に上限値を設定してもよい。この場合には、ＶＰハンドラにもＶＣハンドラと同様の装置が必要となる。これについては容易に類推可能であるので説明は省略する。
【００２５】
【実施例】
本発明実施例を図７のネットワーク構成例を参照して説明する。ネットワークには、通常、複数の音声源を収容するＡＡＬ２エンドシステムがある。ＡＡＬ２エンドシステム間にＡＡＬ２交換ノードがない場合は、直接ＶＣコネクションで結ばれる。図７のネットワークのように、途中にＡＡＬ２交換ノード３８がある場合は、ＡＡＬ２エンドシステム３５、３６、３７、４８またはＡＡＬ２交換ノード３８間にＶＣが張られる。ＡＡＬ２交換ノード３８では各セルは一度ＣＰＳパケットに分解され、同一のＡＡＬ２システム（ＡＡＬ２エンドシステム３５、３６、３７、４８またはＡＡＬ２交換ノード３８）を端点とするＣＰＳパケット同士でセルを構成し、ＶＣ上をそのセルが流れる。ＶＰハンドラ４１はＶＰレベルでセルを交換する交換機であり、ＶＣハンドラ３９、４０、４７はＶＣレベルでセルを交換する交換機である。ＡＡＬ２コネクションとＶＣハンドラ３９、４０、４７間およびＶＣハンドラ３９、４０、４７相互間には、ＶＰコネクションが設定されており、内部にはＶＣコネクションが通っている。ＶＰコネクションには帯域が予め与えられている。
【００２６】
図７でＡＡＬ２エンドシステム３５とＶＣハンドラ３９、ＶＣハンドラ３９とＡＡＬ２交換ノード３８、ＡＡＬ２交換ノード３８とＶＣハンドラ４０、４７、ＶＣハンドラ４７とＡＡＬ２エンドシステム４８、ＶＣハンドラ４０とＡＡＬ２エンドシステム３６、３７間に、それぞれＶＰコネクション（以下、簡単のためＶＰ）４２〜４６、５０、５１が張られている。
【００２７】
ＡＡＬ２エンドシステム３５（他のＡＡＬ２エンドシステムも同様）の構成を図１に示す。符号化器２１〜２６は、音声情報を予め定められた方法でサンプリングして符号化する。あるいは、符号の交換を行う。また、必要に応じて符号化方法などの付加情報を付与し、ＣＰＳパケットと呼ばれる可変長の情報ブロックを作る。ある量のＣＰＳパケットがセル化器２７、２８にたまると、あるいは、タイムアウトによって、あらかじめ定められたＶＣのセルが生成される。セルは、セル送信待ちキュー２９に送出され、ＶＰ４２のＶＰ帯域に応じてセル送出される。
【００２８】
図２は、ＡＡＬ２交換ノード３８の構成図である。ＶＰ４３等を含む入力リンクから到着したセルはデセル化器６１〜６４により一度ＣＰＳパケットに分解される。ＣＰＳパケットは、出力先に応じてＣＰＳパケットスイッチ６５により交換されてセル化器６７〜７０に至る。
【００２９】
セル化器６７〜７０において、再びＣＰＳパケットからセルが組み立てられる。セル化はＶＣ単位で行われるので、基本的にはセル化器はＶＣ６７〜７０毎にある。同一ＶＰに収容されるＶＣのセルは、セル化器６７〜７０からＶＰ対応にある送出待ちキュー７１、７２に送られる。送出待ちキュー７１、７２からセルはＶＰ速度に応じてセル送出される。
【００３０】
ＶＰハンドラ４１、ＶＣハンドラ３９、４０、４７はセルをそれぞれＶＰ、ＶＣ単位に交換する。この点では従来技術のものと同じである。ただし、ＶＣハンドラ３９、４０、４７は、ＡＡＬ２コネクション設定フェーズで、従来技術によるものと異なる特徴を要する。
【００３１】
図３にＶＣハンドラ３９の構成図を示す。ＶＣハンドラ４０、４７も同様の構成である。ＶＰ４２を含む入力リンクから入力したセルはルーティングテーブル８１、８２により出力先を特定され、セルヘッダの書き換えが行われる。その後、スイッチ８３により出力先毎にセルは交換され、セル送出待ちキュー８６、８７を経て、セル送出スケジューラ８８、８９に従いセル送出される。本発明では、セル送出スケジューラ８８、８９は、出力リンクのＶＰ帯域に合わせた速度でセル取り出しを行う。送出待ちキュー８６、８７は、ＶＰ単位に構成される。ＡＴＭあるいはＡＡＬ２コネクションの受付判定は、受付判定装置８４、８５において行われる。
【００３２】
本構成図では、受付判定装置８４、８５は出力（ＶＰ）毎に具備されているが、集中的にＶＣハンドラ３９内の一か所に備えられている場合もある。プロセッサ９０は、各信号（コネクション設定要求、呼出し、終話等）の処理や、ＡＴＭコネクションの設定、解放時のルーティングテーブル変更、受付判定装置８４、８５への受付判定指示、判定結果の受信を行う。
【００３３】
また、ＡＡＬ２交換ノード３８における受付判定装置７５および７６、プロセッサ６６についてもＶＣハンドラ３９における受付判定動作と同様の動作を行う。
【００３４】
図４を参照して音声源３１と３４とが通話する場合を考える。図４は本発明実施例の動作を示すシーケンス図である。音声源３１からの発呼５００に対して、ＡＡＬ２エンドシステム３５はまず、このＡＡＬ２エンドシステム３５から相手先３４（あるいは、３７）方向へのＶＰ４２に対して、新たなＡＡＬ２コネクションを受け入れる余地があるか、このＶＰの帯域と設定中（ＡＴＭ、または）ＡＡＬ２コネクション、設定要求ＡＡＬ２コネクショントラヒック特性により判定する（５０１）。受付判定で、受付けられると判定されると、音声源３１〜３４間のＡＡＬ２部分（ＡＡＬ２エンドシステム３５、３７間）に対応する部分に対してＡＡＬ２コネクションの設定のための設定要求５０２を出す。これは、ＡＡＬ２エンドシステム３５内に発側端点を有し、ＶＰ４２を経て、ＶＣハンドラ３９に着側端点を有する予め設定された（あるいは、必要に応じて、ＡＴＭの信号手順により設定される）ＶＣにより行う。
【００３５】
同設定要求を得たＶＣハンドラ３９は、内部のプロセッサにおいて、相手先３４（あるいは３７）方向へのＶＰ４３に対して新たなＡＡＬ２コネクションを受付ける余地があるか、このＶＰ帯域と設定中の（ＡＴＭまたは）ＡＡＬ２コネクション、設定要求ＡＡＬ２コネクションのトラヒック特性により判定する（５０３）。受付けられると判定されると、このＶＣハンドラ３９は、このＶＣハンドラ３９に発側端点を有し、ＶＰ４３を経て、ＡＡＬ２交換ノード３８内に着側端点を有する予め設定された（あるいは、必要に応じてＡＴＭの信号手順により設定される）ＶＣにより、ＡＡＬ２コネクション設定要求５０４を出す。同設定要求を得たＡＡＬ２交換ノード３８は、受付判定５０５を行う。当該ＡＡＬ２交換ノード３８から、相手先音声源３４（あるいは３７）方向へのＶＰ４４に対して新たなＡＡＬ２コネクションを受け入れる余地があるか、このＶＰの帯域と設定中（ＡＴＭまたは）ＡＡＬ２コネクションおよび設定要求ＡＡＬ２コネクションのトラヒック特性により判定する。受付判定で受付けられると判定されると、このＡＡＬ２交換ノード３８は、このＡＡＬ２交換ノード３８に発側端点を有し、ＶＰ４４を経てＶＣハンドラ４０内に着側端点を有する予め設定された（あるいは、必要に応じてＡＴＭの信号手順により設定される）ＶＣにより、ＡＡＬ２コネクション設定要求５０６を出す。同設定要求を得たＶＣハンドラ４０は、受付判定５０７を行う。当該ＶＣハンドラから、相手先音声源３４（あるいは３７）方向へのＶＰ４５に対して新たなＡＡＬ２コネクションを受け入れる余地があるか、このＶＰの帯域と設定中（ＡＴＭまたは）ＡＡＬ２コネクションおよび設定要求ＡＡＬ２コネクションのトラヒック特性により判定する。受付判定で受付けられると判定されると、このＶＣハンドラ４０は、このＶＣハンドラ４０に発側端点を有し、ＶＰ４５を経て、ＡＡＬ２エンドシステム３７内に着側端点を有する予め設定された（あるいは、必要に応じてＡＴＭの信号手順により設定される）ＶＣにより、ＡＡＬ２コネクション設定要求５０８を出す。また、上記各受付判定において受付不可と判定された場合は、呼損または他の経路への迂回を行う。他の経路については迂回した場合は、再び上記と同様の手順となる。
【００３６】
同設定要求を得たＡＡＬ２エンドシステム３７は、音声源３４に対し、呼出しを行う（５０９）。また、設定要求が行われたＶＣと逆方向の対のＶＣを使って、呼出し中をＶＣハンドラ４０に通知する（５１０）。ＶＣハンドラ４０は、設定要求が行われたＶＣと逆方向の対のＶＣを使って、呼出し中をＡＡＬ２交換ノード３８に通知する（５１１）。ＡＡＬ２交換ノード３８は、設定要求が行われたＶＣと逆方向の対のＶＣを使って、呼出し中をＶＣハンドラ３９に通知する（５１２）。ＶＣハンドラ３９は、設定要求が行われたＶＣと逆方向の対のＶＣを使って、呼出し中をＡＡＬ２エンドシステム３５に通知する（５１３）。ＡＡＬ２エンドシステム３５は、設定要求が行われたＶＣと逆方向の対のＶＣを使って、呼出し中を音声源３１に通知する（５１４）。音声源３４がオフフック（５１５）すると、呼出し中の通知と同じく、応答信号５１６〜５２１が発せられ、通話状態に入る。
【００３７】
通話が終了すると、音声源３１はオンフック等により終話をＡＡＬ２エンドシステム３５に通知する（５２２）。ＡＡＬ２エンドシステム３５は終話をするＡＡＬ２コネクション用のＶＰ４２上の帯域を解放する（５２３）。さらにＡＡＬ２エンドシステム３５、３７間のＡＡＬ２コネクションを解放し、音声源３４に終話を通知すべく、終話信号５２２をＡＡＬ２コネクション設定要求と同じ経路で送信する。同信号を受信したＶＣハンドラ３９は、当該ＡＡＬ２コネクションのための帯域をＶＰ４３上で解放する（５２５）。次に、終話信号５２６をＡＡＬ２設定要求と同じ経路で、送信する。同様にして、ＡＡＬ２交換ノード３８、ＶＣハンドラ４０でも帯域解放５２７、５２９を行い、ＡＡＬ２設定要求と同じ経路で終話信号５２８、５３０を送信する。終話信号５３０を受信したＡＡＬ２エンドシステム３７は、終話信号５３１を音声源３４に通知する。
【００３８】
受付判定方法は、以下の様なものを使う。
【００３９】
（１）ＡＡＬ２のトラヒック特性が、ＡＴＭと同様のトラヒック記述子で表現される場合は、ＡＡＬ２トラヒックをＡＴＭトラヒックとしてみなし、従来技術のＡＴＭ受付判定方法を用い、ＶＰ帯域内にＡＴＭトラヒックとみなしたＡＡＬ２トラヒックを受付可能か判定する。
【００４０】
（２）同一ビットレイトのＡＡＬ２トラヒックのみが、ＶＰ内に多重される場合は、予め各ＶＰ帯域に対して、ＡＡＬ２トラヒックが何多重可能かをコンピュータシミュレーションや数式により評価しておき、各受付判定では、各ＶＰ内の接続ＡＡＬ２コネクション数が当該評価値未満であれば受付、そうでなければ受付不可とする。
【００４１】
なお、本発明実施例は、上位がＡＡＬ２であることを想定し、記述したが、単一ＶＣが複数の上位コネクションにより共有される場合にも、全く同様に適用可能である。
【００４２】
（実施例まとめ）
ＶＰ内に固定帯域を付与したＶＣ（ＣＢＲ：Ｃｏｎｓｔａｎｔ  Ｂｉｔ  Ｒａｔｅ    ＶＣ）による方法と、本発明である帯域を付与しないＶＣ（ＵＢＲ：Ｕｎｓｐｅｃｉｆｉｅｄ  Ｂｉｔ  Ｒａｔｅ  ＶＣ）による方法を使用した場合とで、同じトラヒックを運ぶためのＶＰの帯域はどの程度かを図５に示す。図５はＶＣ数とＶＰ帯域との関係を示す図であり、横軸にＶＣ数をとり、縦軸にＶＰ帯域をとる。セル化タイムアウトは４ｍｓ、セル損失率規定値は１０−４、バッファはセルの滞在時間が最大５ｍｓとなる場合についての結果である。トラヒックは、ＶＰ内のＶＣ数が“１”のとき、７６８ｋｂｐｓまたは１．５Ｍｂｐｓで運べる量を加えてある。図５で明らかなように、本発明により必要帯域が大幅に減少する。
【００４３】
【発明の効果】
以上説明したように、本発明によれば、所定ＶＰ帯域当たりの転送可能なセル数を増大させることができる。また、所定伝送パス帯域当たりの転送可能なセル数を増大させることができる。
【図面の簡単な説明】
【図１】本発明実施例のＡＡＬ２エンドシステムの要部ブロック構成図。
【図２】本発明実施例のＡＡＬ２交換ノードの要部ブロック構成図。
【図３】本発明実施例のＶＣハンドラの要部ブロック構成図。
【図４】本発明実施例の動作を示すシーケンス図。
【図５】ＶＣ数とＶＰ帯域との関係を示す図。
【図６】従来のＡＡＬ２エンドシステムの要部ブロック構成図。
【図７】ネットワーク構成例を示す図。
【符号の説明】
２１〜２６  符号化器
２７、２８、６７〜７０  セル化器
２９、９８、７１、７２、８６、８７  送出待ちキュー
３０、７３、７４、８８、８９、９９  セル送出スケジューラ
３１、３２、３３、３４、４９  音声源
３５、３６、３７、４８  ＡＡＬ２エンドシステム
３８  ＡＡＬ２交換ノード
３９、４０、４４、４７  ＶＣハンドラ
４１  ＶＰハンドラ
６１〜６４  デセル化器
６５  ＣＰＳパケットスイッチ
６６、９０  プロセッサ
８１、８２  ルーティングテーブル
８３  スイッチ
７５、７６、８４、８５  受付判定装置
５０１、５０３、５０５、５０７  受付判定
５０２、５０４、５０６  ＡＡＬ２コネクション設定要求
５０８  ＡＡＬ２コネクション受付要求
５０９  呼出し
５１０〜５１３  呼出し中
５１４  呼出し中通知
５１５  オフフック
５１６〜５２１  応答
５２２、５２４、５２６、５２８、５３０、５３１  終話
５２３、５２５、５２７、５２９  帯域解放
【図１】
0003561163.tif 000002
【図２】
0003561163.tif 000003
【図３】
0003561163.tif 000004
【図４】
0003561163.tif 000005
【図５】
0003561163.tif 000006
【図６】
0003561163.tif 000007
【図７】
0003561163.tif 000008